(57)【要約】【課題】ベルトコードの端部の先端を起点とするベルト端剥離を抑制した空気入りタイヤを供する。【解決手段】カーカスプライ(3)のクラウン部の外周に少なくとも２枚のベルトプライ(6)が巻装されてベルト層(5)を構成し、ベルトプライ(6)がタイヤ赤道線(Le)に対して角度をもって斜めに延びてタイヤ周方向に複数本配列されるベルトコード(7)をゴム被覆してなり、ベルト層(5)を外側からトレッド(10)が覆う空気入りタイヤにおいて、ベルトコード(7)は、断面形状が同じ形状で連続するベルトコード本体部(7A)と、同ベルトコード本体部(7A)から先細に突出しベルトプライ(6)のタイヤ幅方向側縁に沿って位置するベルトコード端部(7B)とからなり、ベルトコード端部(7B)は、タイヤ径方向視で凸曲線の輪郭をなすベルトコード先端面(7Bb)を有することを特徴とする。【選択図】図３
2020199822.tif 000002
【特許請求の範囲】
【請求項１】
カーカスプライ(3)のトロイダル状に形成されるクラウン部の外周に少なくとも２枚のベルトプライ(6)が巻装されてベルト層(5)を構成し、前記ベルトプライ(6)がタイヤ赤道線(Le)に対して所定の角度をもって斜めに延びてタイヤ周方向に複数本配列されるベルトコード(7)をゴム被覆してなり、前記ベルト層(5)を外側からトレッド(10)が覆う空気入りタイヤにおいて、
前記ベルトコード(7)は、長手方向に対して直角な断面形状が同じ形状で連続するベルトコード本体部(7A)と、同ベルトコード本体部(7A)から先細に突出し前記ベルトプライ(6)のタイヤ幅方向側縁(6e)に沿って位置するベルトコード端部(7B)とからなり、
前記ベルトコード端部(7B)は、タイヤ径方向視で凸曲線の輪郭をなすベルトコード先端面(7Bb)を有することを特徴とする空気入りタイヤ。
【請求項２】
前記ベルトコード端部(7B)は、タイヤ径方向視で前記ベルトプライ(6)のタイヤ幅方向側縁(6e)に沿って先細に形成されることを特徴とする請求項１に記載の空気入りタイヤ。
【請求項３】
前記ベルトコード先端面(7Bb)は、凸曲面をなし、
前記ベルトコード本体部(7A)の本体外周面(7Aa)から前記ベルトコード端部(7B)の端部外周面(7Ba)を経て前記ベルトコード先端面(7Bb)に至るまで滑らかな曲面により連続していることを特徴とする請求項１または請求項２に記載の空気入りタイヤ。
【発明の詳細な説明】
【技術分野】
【０００１】
本発明は、タイヤ赤道線に対して所定の角度をもって傾斜して延びる複数本の金属コードをゴム被覆してなるベルトプライを少なくも２枚カーカスプライのクラウン部の外周に重ね、ベルトプライを外側からトレッドが覆う空気入りタイヤに関する。
【背景技術】
【０００２】
互いに重ねられるベルトプライは、埋設される金属コードが互いに交差する方向に指向して配設されてカーカスプライのクラウン部を拘束している。
したがって、タイヤが変形すると、重ねられたベルトプライの伸長方向が互いに異なることで、ベルトプライ間にせん断応力が働く。
このせん断応力は、ベルトコードの端部に集中して、ベルトコード端を起点とするベルト端剥離が発生し易い。
【０００３】
そこで、ベルトコードの端面をベルコードの長手方向に対して６０度以下の角度で傾斜させたベルトプライを用いたラジアルタイヤが提案されている（例えば、特許文献１参照）。
【先行技術文献】
【特許文献】
【０００４】
【特許文献１】特開平３−１６９７１８号公報
【０００５】
特許文献１は、ベルトプライに用いられたベルトコードの端面をベルコードの長手方向に対して６０度以下の角度で傾斜させることで、ベルトコードの端部剛性を端縁に向かって漸減しているため、周囲ゴムとの間の剛性段差を軽減することができ、剛性段差に集中するせん断応力を緩和してベルト端剥離を抑制しようとするものである。
【発明の概要】
【発明が解決しようとする課題】
【０００６】
特許文献１には、ベルトコードの端面が、ベルコードの長手方向に対して６０度以下の角度で傾斜させた平面である場合と、凸状または凹状に滑らかに湾曲する曲面である場合が開示されている。
いずれの場合も、ベルトコードの端部の先端は鋭角度に尖っている。
【０００７】
ベルトコードの端部剛性を端縁に向かって漸減したとしても、ベルトコードの端部の鋭角度に尖った先端は、ベルトプライとトレッドゴムの間に食い込み易く、この先端を起点とするベルト端剥離の可能性がある。
【０００８】
本発明は、かかる点に鑑みなされたもので、その目的とする処は、ベルトコードの端部の先端を起点とするベルト端剥離を抑制した空気入りタイヤを供する点にある。
【課題を解決するための手段】
【０００９】
上記目的を達成するために、本発明は、
カーカスプライのトロイダル状に形成されるクラウン部の外周に少なくとも２枚のベルトプライが巻装されてベルト層を構成し、前記ベルトプライがタイヤ赤道線に対して所定の角度をもって斜めに延びてタイヤ周方向に複数本配列されるベルトコードをゴム被覆してなり、前記ベルト層を外側からトレッドが覆う空気入りタイヤにおいて、
前記ベルトコードは、長手方向に対して直角な断面形状が同じ形状で連続するベルトコード本体部と、同ベルトコード本体部から先細に突出し前記ベルトプライのタイヤ幅方向側縁に沿って位置するベルトコード端部とからなり、
前記ベルトコード端部は、タイヤ径方向視で凸曲線の輪郭をなすベルトコード先端面を有することを特徴とする空気入りタイヤを提供する。
【００１０】
この構成によれば、ベルトプライにタイヤ赤道線に対して所定の角度をもって斜めに延びてタイヤ周方向に複数本配列されるベルトコードは、ベルトコード本体部と同ベルトコード本体部から先細に突出するベルトコード端部とからなり、ベルトプライのタイヤ幅方向側縁に沿って位置するベルトコード端部は、タイヤ径方向視で凸曲線の輪郭をなすベルトコード先端面を有するので、
ベルトコード端部が先細であることで、ベルトコードの端部剛性をベルトコード先端面に向かって漸減しているため、周囲ゴムとの間の剛性段差を軽減することができ、剛性段差に集中するせん断応力を緩和してベルト端剥離を抑えるとともに、
さらに、ベルトコード先端面は鋭角度に尖った先端に比べタイヤ径方向視で凸曲線の輪郭をなすことで、ベルトプライとトレッドゴムの間に食い込み難くしており、ベルトコード先端面を起点とするベルト端剥離も抑制することができる。
【００１１】
本発明の好適な実施形態では、
前記ベルトコード端部は、タイヤ径方向視で前記ベルトプライのタイヤ幅方向側縁に沿って先細に形成される。
【００１２】
この構成によれば、ベルトコード端部は、タイヤ径方向視でベルトプライのタイヤ幅方向側縁に沿って先細に形成されるので、ベルトコード端部をベルトコードの長手方向に可及的に長く形成することができ、ベルトコードの端部剛性をベルトコード先端面に向かってより一層漸減することができ、せん断応力を緩和してベルト端剥離を一層抑制することができる。
【００１３】
本発明の好適な実施形態では、
前記ベルトコード先端面は、凸曲面をなし、
前記ベルトコード本体部の本体外周面から前記ベルトコード端部の端部外周面を経て前記ベルトコード先端面に至るまで滑らかな曲面により連続している。
【００１４】
この構成によれば、ベルトコード本体部の本体外周面からベルトコード端部の端部外周面を経てベルトコード先端面の凸曲面に至るまで滑らかな曲面により連続しているので、本体外周面と端部外周面との境目および端部外周面とベルトコード先端面との境目が滑らかな曲面により連続していて、せん断応力が集中するような折曲した稜線はどこにも存在しないため、ベルト端剥離をより一層抑制することができる。
【発明の効果】
【００１５】
本発明は、ベルトプライにタイヤ赤道線に対して所定の角度をもって斜めに延びてタイヤ周方向に複数本配列されるベルトコードは、ベルトコード本体部と同ベルトコード本体部から先細に突出するベルトコード端部とからなり、ベルトプライのタイヤ幅方向側縁に沿って位置するベルトコード端部は、タイヤ径方向視で凸曲線の輪郭をなすベルトコード先端面を有するので、
ベルトコード端部が先細であることで、ベルトコードの端部剛性をベルトコード先端面に向かって漸減しているため、周囲ゴムとの間の剛性段差を軽減することができ、剛性段差に集中するせん断応力を緩和してベルト端剥離を抑えるとともに、
さらに、ベルトコード先端面は鋭角度に尖った先端に比べタイヤ径方向視で凸曲線の輪郭をなすことで、ベルトプライとトレッドゴムの間に食い込み難くしており、ベルトコード先端面を起点とするベルト端剥離も抑制することができる。
【図面の簡単な説明】
【００１６】
【図１】本発明の一実施の形態に係る空気入りタイヤのタイヤ幅方向断面図である。
【図２】タイヤ径方向視のベルトプライの部分を示す図である。
【図３】図２に示す同ベルトプライの部分拡大図である。
【図４】タイヤ径方向視のベルトコード端部およびその近傍を示す図である。
【図５】図４のV矢視によるベルトコード端部およびその近傍を示す図である。
【発明を実施するための形態】
【００１７】
以下、本発明に係る一実施の形態について図１ないし図５に基づいて説明する。
図１は、本実施形態に係るトラック・バス用の重荷重用ラジアルタイヤである空気入りタイヤ１のタイヤ幅方向断面図（タイヤ回転中心軸を含む平面で切断したときの断面図）である。
【００１８】
空気入りタイヤ１は、金属線がリング状に巻回されて形成された左右一対のビードリング２，２に、両側縁をそれぞれ巻き付けて両側縁間をタイヤ径方向外側に膨出してトロイダル状にカーカスプライ３が形成されている。
【００１９】
カーカスプライ３の内表面には耐空気透過性のインナライナ部４が形成されている。
カーカスプライ３のクラウン部の外周には、ベルトプライ６が重ねられるように巻き付けられてベルト層５を形成しており、そのタイヤ径方向外側にトレッド10が覆いかぶさるように形成されている。
ベルト層５はベルトプライ６が複数層に重ねられたもので、各ベルトプライ６はベルトコード７をベルト用ゴムにより被覆して帯状にしたものである。
ここでは、ベルトコード７としてスチールコードを用いている。
【００２０】
カーカスプライ３の両サイド部の外表面には、サイドウォール部11が形成されている。
カーカスプライ３のビードリング２に巻き付けられて折り返された環状端部を覆うビード部12は、内側がインナライナ部４に連続し、外側がサイドウォール部11に連続する。
【００２１】
図２は、タイヤ径方向視のベルトプライ６の部分を示す図である。
ベルトプライ６は、タイヤ赤道線Ｌｅに対して所定の角度をもって斜めに延びてタイヤ周方向に複数本配列されるベルトコード７をゴム被覆して帯状に構成されている。
タイヤ径方向に互いに重ねられるベルトプライ６，６は、各ベルトプライ６に埋設されるベルトコード７が互いに交差する方向に指向して配設されている。
【００２２】
図４を参照して、ベルトコード７は、長手方向に対して直角な断面形状が同じ円形で連続するベルトコード本体部７Ａと、同ベルトコード本体部７Ａの両端から先細に突出するベルトコード端部７Ｂ，７Ｂとからなる。
図２および図３に示すように、タイヤ赤道線Ｌｅに対して所定の角度をもって斜めに延びるベルトコード７の両端のベルトコード端部７Ｂ，７Ｂは、ベルトプライ６のタイヤ幅方向側縁６ｅに沿って位置する。
【００２３】
図４に示されるように、ベルトコード７におけるベルトコード端部７Ｂは、ベルトコード本体部７Ａからベルトプライ６のタイヤ幅方向側縁６ｅに沿って先細に突出して形成されている。
ベルトコード端部７Ｂは、先細に円錐面状に突出する端部外周面７Ｂａに連続して先端にベルトコード先端面７Ｂｂを有する。
【００２４】
ベルトコード先端面７Ｂｂは、凸曲面をなす。
したがって、図４に示されるように、ベルトコード先端面７Ｂｂは、タイヤ径方向視で凸曲線の輪郭をなす。
【００２５】
ベルトコード７は、ベルトコード本体部７Ａの本体外周面７Ａａからベルトコード端部７Ｂの端部外周面７Ｂａを経て凸曲面をなすベルトコード先端面７Ｂｂに至るまで滑らかな曲面により連続している。
よって、ベルトコード７は、面と面の境目に稜線を形成するような表面形状を有しないで、すべて滑らかな曲面により連続する表面形状をなす。
【００２６】
以上、詳細に説明した本発明に係る空気入りタイヤの一実施の形態では、以下に記す効果を奏する。
図３に示されるように、ベルトプライ６にタイヤ赤道線Ｌｅに対して所定の角度をもって斜めに延びてタイヤ周方向に複数本配列されるベルトコード７は、ベルトコード本体部７Ａと同ベルトコード本体部７Ａから先細に突出するベルトコード端部７Ｂとからなり、ベルトプライ６のタイヤ幅方向側縁６ｅに沿って位置するベルトコード端部７Ｂは、タイヤ径方向視で凸曲線の輪郭をなすベルトコード先端面７Ｂｂを有するので、ベルトコード端部７Ｂとが先細であることで、ベルトコード７の端部剛性をベルトコード先端面７Ｂｂに向かって漸減しているため、周囲ゴムとの間の剛性段差を軽減することができ、剛性段差に集中するせん断応力を緩和してベルト端剥離を抑えるとともに、さらに、ベルトコード先端面７Ｂｂは鋭角度に尖った先端に比べタイヤ径方向視で凸曲線の輪郭をなすことで、ベルトプライ６とトレッドゴムの間に食い込み難くしており、ベルトコード先端面７Ｂｂを起点とするベルト端剥離も抑制することができる。
【００２７】
図３に示されるように、ベルトコード端部７Ｂは、タイヤ径方向視でベルトプライ６のタイヤ幅方向側縁６ｅに沿って先細に形成されるので、ベルトコード端部７Ｂをベルトコード７の長手方向に可及的に長く形成することができ、ベルトコード７の端部剛性をベルトコード先端面７Ｂｂに向かってより一層漸減することができ、せん断応力を緩和してベルト端剥離を一層抑制することができる。
【００２８】
図４に示されるように、ベルトコード本体部７Ａの本体外周面７Ａａからベルトコード端部７Ｂの端部外周面７Ｂａを経てベルトコード先端面の凸曲面に至るまで滑らかな曲面により連続しているので、本体外周面７Ａａと端部外周面７Ｂａとの境目および端部外周面７Ｂａとベルトコード先端面７Ｂｂとの境目が滑らかな曲面により連続していて、せん断応力が集中するような折曲した稜線はどこにも存在しないため、ベルト端剥離をより一層抑制することができる。
【００２９】
以上、本発明に係る一実施の形態に係る空気入りタイヤについて説明したが、本発明の態様は、上記実施の形態に限定されず、本発明の要旨の範囲で、多様な態様で実施されるものを含むものである。
【００３０】
ベルトコードにおけるベルトコード端部のベルトコード先端面は、凸曲面をなさなくとも、タイヤ径方向視で凸曲線の輪郭をなせば、ベルト端剥離を抑制する効果を有する。
本発明の空気入りタイヤは、トラック・バス用タイヤに限らず、乗用車用タイヤにも適用できる。
【符号の説明】
【００３１】
Ｌｅ…タイヤ赤道線、
１…タイヤ、２…ビードリング、３…カーカスプライ、４…インナライナ部、５…ベルト層、６…ベルトプライ、６ｅ…タイヤ幅方向側縁、７…ベルトコード、７Ａ…ベルトコード本体部、７Ａａ…本体外周面、７Ｂ…ベルトコード端部、７Ｂａ…端部外周面、７Ｂｂ…ベルトコード先端面、
10…トレッド、11…サイドウォール部、12…ビード部。
【図１】
2020199822.tif 000003
【図２】
2020199822.tif 000004
【図３】
2020199822.tif 000005
【図４】
2020199822.tif 000006
【図５】
2020199822.tif 000007